(57)【特許請求の範囲】
【請求項１】
平面視で交差するように上下方向に配置された複数のスライド部材と、
前記複数のスライド部材の交差位置において各前記スライド部材の貫通孔に通される係止突起を有する係止体とを備え、
前記複数のスライド部材は、それぞれ異なる方向にスライド可能であり、
各前記スライド部材の貫通孔は、大幅部と、前記大幅部から前記スライド部材のスライド方向に延びて、前記大幅部の幅よりも幅が小さい小幅部とから形成され、
前記係止突起の先端には、前記複数のスライド部材の交差位置に各前記スライド部材の前記大幅部を上下方向に配置したときに、各前記大幅部を通過可能な抜け止め部が形成され、
前記抜け止め部よりも基端側の前記係止突起の範囲には、前記抜け止め部が各前記大幅部を通過した状態で各前記スライド部材をスライドさせたときに、各前記スライド部材の小幅部に係合可能な複数の係合部が形成され、
一の前記スライド部材の前記小幅部に一の前記係合部を係合させた状態では、前記抜け止め部又は他の前記係合部が、前記一のスライド部材の前記小幅部の縁よりも外側に突出することで、前記抜け止め部又は前記他の係合部が、前記一のスライド部材に係止される留め具。
【請求項２】
前記スライド部材毎に形成された溝を複数備え、各前記溝にそれぞれ前記スライド部材が嵌め込まれるベース部材をさらに備え、
前記複数の溝はそれぞれ異なる方向に延びており、
各前記スライド部材が前記溝に沿ってスライドすることで、前記複数のスライド部材はそれぞれ異なる方向にスライドする請求項１に記載の留め具。
【請求項３】
前記ベース部材の前記溝は、前記溝の溝幅を広げるように凹部を備え、
前記スライド部材の側縁に前記凹部にスライド可能に挿入される規制突起を設け、
前記規制突起が前記凹部の端面に当たり前記スライド部材のスライドが規制されることで、前記スライド部材が前記溝に嵌め込まれた状態が維持される請求項２に記載の留め具。
【請求項４】
前記複数のスライド部材の交差位置に前記大幅部が配置される前記各スライド部材の位置を特定するための目印が前記各スライド部材に形成される請求項１から３のいずれか１項に記載の留め具。
【請求項５】
前記溝の側壁に向けて凸となるようくの字状に屈曲した金属片が前記スライド部材の側縁に設けられ、前記金属片のくの字の頂点が前記溝の側壁と接する請求項１から４のいずれか１項に記載の留め具。
【発明の詳細な説明】
【技術分野】
【０００１】
本発明は、複数のスライド部材と、スライド部材に係止される係止体とを備えた留め具に関する。
【背景技術】
【０００２】
従来より、かばん類製品用、衣類製品用として様々な留め具が開発されている。例えば、特許文献１に記載の留め具では、雌ホックのフックが雄ホックのダボに係止しており、雌ホックに設けたばね部材の付勢力により雌ホックと雄ホックをロック状態に保っている。留め具を解錠する場合には、ばね部材の付勢力に磁石キーの磁力で抗してフックとダボの係止を外し、雌ホックと雄ホックのロックを解除する。
【０００３】
しかし、特許文献１に記載の留め具は、磁石キーがないと留め具を解錠できないため、キーを携帯しなくてはならず煩わしいという問題があった。
【０００４】
このため、キーを用いずに解錠が可能な留め具が提案されている。例えば、引用文献２に示す掛止錠では、鞄などの本体に取り付けられた係止片が、蓋に取り付けられる錠本体と係止部材を介して係止しており、錠本体の操作部材の係合部と、係止部材の係止爪とが係合することで係止片と係止部材のロック状態を保っている。この状態で、錠本体に取り付けられた操作部材を押し込むと、係合部と係止爪との係合が外れて係止片と係止部材のロックが解除され、掛止錠が解錠される。
【先行技術文献】
【特許文献】
【０００５】
【特許文献１】特開２０１３−２２０６３号公報
【特許文献２】特公平７−５１８６４号公報
【発明の概要】
【発明が解決しようとする課題】
【０００６】
しかし、引用文献２に記載の掛止錠は、操作部材を押し込む動作のみで係止片と係止部材のロックを解除するため、何らかの原因で操作部材に衝撃が加わった場合には、使用者の意図しない解錠がなされることがある。
【０００７】
本発明は、上記した課題に着目してなされたものであり、キーを使用せずに施錠や解錠ができ、かつ、使用者の意図しない解錠を防ぐ留め具を提供することを目的とする。
【課題を解決するための手段】
【０００８】
本発明の上記目的は、平面視で交差するように上下方向に配置された複数のスライド部材と、前記複数のスライド部材の交差位置において各前記スライド部材の貫通孔に通される係止突起を有する係止体とを備え、前記複数のスライド部材は、それぞれ異なる方向にスライド可能であり、各前記スライド部材の貫通孔は、大幅部と、前記大幅部から前記スライド部材のスライド方向に延びて、前記大幅部の幅よりも幅が小さい小幅部とから形成され、前記係止突起の先端には、前記複数のスライド部材の交差位置に各前記スライド部材の前記大幅部を上下方向に配置したときに、各前記大幅部を通過可能な抜け止め部が形成され、前記抜け止め部よりも基端側の前記係止突起の範囲には、前記抜け止め部が各前記大幅部を通過した状態で各前記スライド部材をスライドさせたときに、各前記スライド部材の小幅部に係合可能な複数の係合部が形成され、一の前記スライド部材の前記小幅部に一の前記係合部を係合させた状態では、前記抜け止め部又は他の前記係合部が、前記一のスライド部材の前記小幅部の縁よりも外側に突出することで、前記抜け止め部又は前記他の係合部が、前記一のスライド部材に係止される留め具により達成される。
【０００９】
係止体をスライド部材に係止する場合には、まず、各スライド部材をスライドさせて貫通孔の大幅部をスライド部材の交差位置に配置する。すなわち、各スライド部材の大幅部を交差位置で上下方向に一致させる。そして、係止体の係止突起をスライド部材の大幅部に挿入し、係止突起の抜け止め部が全てのスライド部材の大幅部を通過した状態とする。このとき、係止突起の各係合部は対応する各スライド部材の大幅部に挿入された状態となる。次に、各スライド部材の貫通孔の小幅部を対応する各係合部に係合させて、スライド部材をスライドさせる。
【００１０】
このスライド部材のスライドにより、スライド部材の交差位置には係止体の係止突起と係合したスライド部材の小幅部が配置される。ここで、係止体の係止突起の抜け止め部は、小幅部の幅よりも大きくなるよう形成されている。このため、係止体の抜け止め部はスライド部材の小幅部の縁よりも外側に突出し、係止体の抜け止め部はスライド部材に当接するので、係止体はスライド部材に係止される。
【００１１】
また、あるスライド部材の小幅部に、対応する係止体の係止突起の係合部を係合させたとき、他の係合部は該スライド部材の小幅部の縁よりも突出するため、係止体の他の係合部はこのスライド部材に当接し、係止体はスライド部材に係止される。
【００１２】
スライド部材と係止体の係止を解除する場合には、各スライド部材をスライドさせて貫通孔の大幅部をスライド部材の交差位置に配置する。この状態で、係止体の係止突起を大幅部から引き抜くことで、スライド部材と係止体の係止が解除される。
【００１３】
前記構成によれば、スライド部材をスライドさせる動作だけで係止体とスライド部材とを係止し、また係止を解除することができるので、キーを使用せずに留め具の施錠と解錠を行なうことができる。
また、前記構成によれば、複数のスライド部材の大幅部を全てスライド部材の交差位置に配置しなければ係止体とスライド部材との係止が解除されない。このため、あるスライド部材に衝撃が加わり偶然に大幅部がスライド部材の交差位置に配置された場合であっても、他のスライド部材はスライド部材の交差位置に位置していないため、係止体とスライド部材との係止は保たれる。従って、留め具に衝撃などが与えられることによる使用者の意図しない解錠を防ぐことができる。
【００１４】
上記構成の留め具の好ましい実施態様においては、前記スライド部材毎に形成された溝を複数備え、各前記溝にそれぞれ前記スライド部材が嵌め込まれるベース部材をさらに備え、前記複数の溝はそれぞれ異なる方向に延びており、各前記スライド部材が前記溝に沿ってスライドすることで、前記複数のスライド部材はそれぞれ異なる方向にスライドすることを特徴としている。
【００１５】
前記ベース部材の前記溝は、前記溝の溝幅を広げるように凹部を備え、前記スライド部材の側縁に前記凹部にスライド可能に挿入される規制突起を設け、前記規制突起が前記凹部の端面に当たり前記スライド部材のスライドが規制されることで、前記スライド部材が前記溝に嵌め込まれた状態が維持されることが好ましい。
前記構成によれば、規制突起により、スライド部材をスライドさせたときにスライド部材がベース部材から抜け落ちることを防止することができる。
【００１６】
また、前記複数のスライド部材の交差位置に前記大幅部が配置される前記各スライド部材の位置を特定するための目印が前記各スライド部材に形成されてもよい。
【００１７】
前記構成によれば、目印は、交差位置に各スライド部材の大幅部が配置される各スライド部材の位置であって、ベース部や係止体に対する各スライド部材の相対的な位置を特定している。このような目印を用いることで、スライド部材を所定位置にスライドさせて、複数のスライド部材の交差位置に前記大幅部を配置することが容易となる。
【００１８】
前記目印は、各スライド部材の表面に形成され、他の部分と異なる色で着色された着色部分であってもよい。
【００１９】
従来のダイヤル錠など、数字が記載された複数個のダイヤルリングを所定の組合せ状態に操作すると解錠される留め具の場合、留め具の使用者は個々の数字を判読してダイヤルリングの組合せの操作を行なわなくてはならず、直感的な操作が難しかった。また、ダイヤル錠の数字は小さい文字で記載されていることが多く、小さい文字が判読しづらい使用者の場合、ダイヤルリングの組合せの操作が難しかった。そこで、本願発明のように目印を着色部分とすることで、使用者は数字などの小さい文字を判読する必要なく、直感的に、スライド部材を所定位置にスライドさせることができる。
【００２０】
また、前記目印は、スライド部材の表面に形成され、スライド方向に延びる異なる色に着色された縞状部分の一部であってもよい。
スライド部材が様々な色に着色されているので、使用者は留め具の係止や解除を楽しんで行なうことができる。
【００２１】
前記目印は、各スライド部材の側縁に形成されたくぼみ部であってもよい。
くぼみ部に指を当ててスライド部材をスライドさせることで、手探りでスライド部材を所定位置に配置することが可能となり、暗い場所で留め具を使用する場合や、視覚障害者が留め具を使用する場合に便利である。
【００２２】
前記溝の側壁に向けて凸となるようくの字状に屈曲した金属片が前記スライド部材の側縁に設けられ、前記金属片のくの字の頂点が前記溝の側壁と接してもよい。
【００２３】
前記構成によれば、スライド部材は、スライド部材の側縁から突出した金属片のくの字の頂点が溝の側壁と当接しながらスライドするので、摩擦が少なくスムーズなスライドが可能となる。
【発明の効果】
【００２４】
本発明に係る留め具によると、スライド部材をスライドさせる動作だけで係止体とスライド部材とを係止し、また係止を解除することができるので、キーを使用せずに留め具の施錠と解錠を行なうことができる。
また、前記構成によれば、複数のスライド部材の大幅部を全てスライド部材の交差位置に配置しなければ係止体とスライド部材との係止が解除されないため、使用者の意図しない解錠を防ぐことができる。
【図面の簡単な説明】
【００２５】
【図１】本発明の一実施形態に係る留め具を鞄に用いた図である。
【図２】本発明の留め具の斜視図である。
【図３】本体と係止体を係止する方法の説明図であり、（ａ）はスライド部材を示す平面図、（ｂ）はスライド部材と支持ベース部材のＡ−Ａ断面図である。
【図４】本体と係止体を係止する方法の説明図であり、（ａ）はスライド部材を示す平面図、（ｂ）はスライド部材と支持ベース部材と支持体のＡ−Ａ断面図である。
【図５】本体と係止体を係止する方法の説明図であり、（ａ）はスライド部材を示す平面図、（ｂ）はスライド部材と支持ベース部材と支持体のＡ−Ａ断面図である。
【図６】本体の分解斜視図である。
【図７】スライド部材が嵌め込まれたベース部材の平面図である。
【図８】係止体の拡大斜視図である
【図９】スライド部材の他の例である。
【図１０】スライド部材の他の例である。
【発明を実施するための形態】
【００２６】
以下、本発明の実施形態について、添付図面を参照しながら説明する。
図１は、本実施形態に係る留め具１０を鞄４０に用いた図であり、図２は留め具の斜視図、図３〜５は留め具１０の断面図である。
【００２７】
図１に示すように、鞄４０は、前板部４１と、後板部４２と、後板部４２に連続して設けられて前板部４１の上部を覆い、自由端側が前板部４１に係止される蓋部４３を備えている。
留め具１０は、蓋部４３に取り付けられる本体２０と、前板部４１に取り付けられる係止体３０とを備えている。
図２に示すように、本体２０は、平面視で交差するように上下方向に配置された複数のスライド部材２１を備えている。係止体３０は係止突起３１を備えており、図４、５に示すように、係止突起３１は複数のスライド部材２１の交差位置Ｐにおいて各スライド部材２１の貫通孔２１１に通されて、本体２０に係止される。なお、上下方向とはスライド部材２１が重ねられる方向を示しており、図２〜５では矢印Ａ１の方向である。
【００２８】
本実施形態においては、３つのスライド部材２１Ａ〜２１Ｃはそれぞれ平板状であり、第1のスライド部材２１Ａが最も上方に配置され、第２のスライド部材２１Ｂは第1のスライド部材２１Ａの下方に配置され、第３のスライド部材２１Ｃは第２のスライド部材２１Ｂの下方であり、最も下方に配置される。
各スライド部材２１Ａ〜２１Ｃは異なる方向にスライド可能である。図２、図５に示すように、第1のスライド部材２１Ａがスライドする方向ＳＡに対して第２のスライド部材２１Ｂは、平面視で周方向に６０度ずれた方向ＳＢにスライド可能である。第３のスライド部材２１Ｃは、第２のスライド部材２１Ｂのスライド方向ＳＢに対して平面視で周方向に６０度ずれた方向ＳＣにスライド可能である。
【００２９】
図６は、本体２０の分解斜視図であり、図７は、スライド部材２１が嵌め込まれたベース部材２２の平面図であり、図６に示される１層分を示している。
本体２０は、スライド部材２１毎に形成された溝２３を複数備えたベース部材２２（図２）を有し、ベース部材２２の各溝２３には、それぞれスライド部材２１が嵌め込まれている。
【００３０】
円筒形状のベース部材２２は、図６に示すように、本体２０の上方および下方に配置された円形の土台ベース部材２２１Ａ，２２１Ｂと、２つの土台ベース部材２２１Ａ，２２１Ｂの間に上下方向に配置され、スライド部材２１が嵌め込まれる複数の支持ベース部材２２２からなる。本実施形態では、スライド部材２１が嵌め込まれた３つの支持ベース部材２２２Ａ〜２２２Ｃを３層に積層している。
【００３１】
下方及び上方の土台ベース部材２２１Ａ，２２１Ｂには、中央部であって、複数のスライド部材２１の平面視での交差位置Ｐに、後述する係止体３０の係止突起３１が挿入されるベース孔２２１ａがそれぞれ形成されている。
各支持ベース部材２２２は、半円状の２つの部材２２２１、２２２２から形成されており、部材２２２１、２２２２が離間して配置されることで部材２２２１、２２２２の間に溝２３Ａ〜２３Ｃが形成される。すなわち、各溝２３の側壁は部材２２２１、２２２２の壁２２２１ａ、２２２２ａより形成されている。各溝２３Ａ〜２３Ｃは支持ベース部材２２２毎にそれぞれ異なる方向に延びており、溝２３Ａ〜２３Ｃの延びる方向によって各スライド部材２１Ａ〜２１Ｃのスライド方向ＳＡ〜ＳＣが定まる。各スライド部材２１Ａ〜２１Ｃが対応する溝２３Ａ〜２３Ｃに嵌め込まれ、溝２３Ａ〜２３Ｃに沿ってスライドすることができるように、溝２３Ａ〜２３Ｃの幅はスライド部材２１Ａ〜２１Ｃの幅よりも若干大きく形成されている。
【００３２】
支持ベース部材２２２により形成される溝２３は、溝２３の溝幅を広げるように凹部２３ａを備えており、凹部２３ａはスライド部材２１のスライド方向に延びている。すなわち、凹部２３ａは、支持ベース部材２２２の部材２２２２の壁２２２２ａに設けられている。凹部２３ａには、スライド部材２１に形成された規制突起２１２がスライド可能に挿入される。
【００３３】
また、図６に示すように、鞄４０等に取り付けるための鋲孔２２３が、土台ベース部材２２１、支持ベース部材２２２を上下方向Ａ１に貫通するように設けられている。鋲孔２２３は、スライド部材２１のスライドの邪魔にならない位置に、円筒状のベース部材２２の円周回りに等間隔に６箇所設けられている。
【００３４】
本体２０は、図１に示すように、鞄４０の蓋部４３に取り付けられる。鞄４０の蓋部４３の所望の位置であって蓋部４３の表側に本体２０を配置し、蓋部４３の裏側であって本体２０に対応する位置に、図６に示す取付部材５０を配置している。取付部材５０は、取付部材貫通孔５１と鋲孔５２を備えている。鞄４０の蓋部４３の所望の位置には予め孔（図示せず）が開けられており、該孔と、本体２０のスライド部材２１の交差位置Ｐおよび土台ベース部材２２１のベース孔２２１ａ、取付部材５０の取付部材貫通孔５１が一致し、ベース部材の鋲孔２２３と、取付部材５０の鋲孔５２が一致するように、本体２０と取付部材５０とが配置されている。鋲５３を蓋部４３の裏側から本体２０のベース部材２２の鋲孔２２３と取付部材５０の鋲孔５２に通して、本体２０を鞄４０に取り付ける。
【００３５】
図３〜図６に示すように、各スライド部材２１の貫通孔２１１は、大幅部２１１ａと小幅部２１１ｂとを備えている。小幅部２１１ｂは、大幅部２１１ａから各スライド部材２１のスライド方向に延びており、小幅部２１１ｂの幅は大幅部２１１ａの幅よりも小さい。
また、スライド部材２１の側縁には、ピン状の規制突起２１２が突出している。規制突起２１２は、スライド方向に垂直な方向に延び、後述するベース部材２２の溝２３の凹部２３ａにスライド可能に挿入される。規制突起２１２は、スライド部材２１のスライド時に溝２３の凹部２３ａの端面に当たることでスライド部材２１のスライドを規制し、スライド部材２１が溝２３に嵌め込まれた状態を維持する。
【００３６】
スライド部材２には、規制突起２１２が設けられた側縁と反対側の側縁に、金属片２１３を係止するための金属片係止用溝２１４が設けられている。金属片係止用溝２１４はスライド部材２１のスライド方向に延びており、スライド方向の両端面に、それぞれ金属片２１３の端部が係止される係止凹部２１４ａを形成している。金属片２１３はくの字状に屈曲しており、溝２３の側壁（すなわち、後述するベース部材２２の部材２２２１の壁２２２１ａ）に向けて凸となるように金属片２１３の端部が係止凹部２１４ａに係止されている。ベース部材２２の溝２３にスライド部材２１が嵌め込まれた状態では、この金属片２１３のくの字の頂点は溝２３の側壁と接する。
【００３７】
また、各スライド部材２１の表面には目印２１５が設けられており、目印２１５により複数のスライド部材２１の交差位置Ｐに大幅部２１１ａが配置される各スライド部材２１の位置を特定している。すなわち、目印２１５は、ベース部材２２や係止体３０に対する各スライド部材２１の相対的な位置を示している。
本実施形態では、スライド部材２１他の部分と異なる色で着色された着色部分を目印２１５としており、図７に示すように、各スライド部材２１をスライドさせて目印２１５がベース部材２２の端部に位置したときに、複数のスライド部材２１の交差位置Ｐに大幅部２１１ａが配置される。
【００３８】
図８は、係止体の拡大斜視図である。
係止体３０は、鞄４０の前板部４１に取り付けられる係止土台３２と、上述の係止突起３１からなる。
係止突起３１は、係止土台３２に対して垂直に突出している。
係止突起３１の先端には、円筒形状の抜け止め部３１１が形成され、抜け止め部３１１よりも基端側の係止突起３１の範囲には、複数の係合部３１２が形成され、さらに、係合部３１２より基端側には、係止土台３２と連続した基端部３１３が設けられている。
【００３９】
抜け止め部３１１の径は大幅部２１１ａの幅よりも若干小さくなっており、図４，５に示すように、複数のスライド部材２１の交差位置Ｐに各スライド部材２１の大幅部２１１ａを配置したときに、抜け止め部３１１が各大幅部２１１ａを通過可能としている。また、各大幅部２１１ａを通過中に、スライド部材２１の小幅部２１１ｂに抜け止め部３１１が係合しないよう、抜け止め部３１１の径は、小幅部２１１ｂの幅よりも大きくしている。
【００４０】
また、係止突起３１の抜け止め部３１１の突出方向の長さは、土台ベース部材２２１の上下方向の長さ（厚み）よりも小さくしている。これにより、係止体３０の係止突起３１が、各スライド部材２１の貫通孔２１１と土台ベース部材２２１のベース孔２２１ａに挿入された時に、係止突起３１の抜け止め部３１１が本体２０から外側に突出することを防いでいる。なお、突出方向とは、係止部の係止突起３１が突出している方向であり、図８では矢印Ａ２の方向である。
【００４１】
また、複数の係合部３１２は、複数の直方体を突出方向に配置したものであり、本実施形態では３つの係合部３１２Ａ〜３１２Ｃを配置している。
各係合部３１２Ａ〜３１２Ｃは、直方体の長手方向ＬＡ〜ＬＣが、各スライド部材２１の小幅部２１１ｂが延びる方向、すなわちスライド部材２１のスライド方向ＳＡ〜ＳＣと一致している。
また、直方体の係合部３１２の幅（直方体の長手方向に対して垂直で、係止土台３２と平行の方向の長さ）はスライド部材２１の小幅部２１１ｂの幅よりも若干小さく、係合部３１２の突出方向の長さは、スライド部材２１の上下方向の長さ（厚み）とほぼ同じであり、各係合部３１２が対応するスライド部材２１の小幅部２１１ｂに係合可能な大きさとしている。
基端部３１３は、突出方向の長さが一方の土台ベース部材２２１の上下方向の長さ（厚み）とほぼ同じである。
【００４２】
係止土台３２は、図１に示すように、鞄４０等に取り付けるための鋲孔３３を備えている。前板部４１の表側に係止突起３１が蓋部４３の方向に突出するよう係止土台３２を配置し、前板部４１の裏側から鋲（図示せず）を係止土台３２の鋲孔３３に通して、係止土台３２を前板部４１に取り付ける。
【００４３】
次に、図３〜図５を用いて、本体２０と係止体３０とを係止する方法を説明する。図３（ａ）、図４（ａ）、図５（ａ）はスライド部材２１のみを示した概略平面図である。図３（ｂ）、図４（ｂ）、図５（ｂ）は図３（ａ）、図４（ａ）、図５（ａ）のＡ−Ａ断面図であり、図３（ａ）、図４（ａ）、図５（ａ）には示されていない支持ベース部材２２２も示されている。図４（ｂ）、図５（ｂ）には、さらに係止体３０が示されている。
【００４４】
まず、図３（ａ）（ｂ）に示すように、スライド部材２１に付された目印２１５を用いてスライド部材２１を所定位置までスライドさせて、複数のスライド部材２１の交差位置Ｐに大幅部２１１ａを配置する。この状態では、土台ベース部材２２１のベース孔２２１ａ及び各スライド部材２１の大幅部２１１ａが交差位置Ｐで上下方向に並ぶ。
【００４５】
次に、図４（ａ）（ｂ）に示すように、係止体３０の係止土台３２が下方の土台ベース部材２２１Ｂと当接するまで、係止体３０の係止突起３１を土台ベース部材２２１のベース孔２２１ａ及び各スライド部材２１の大幅部２１１ａに挿入する。係止突起３１の抜け止め部３１１は下方の土台ベース部材２２１、スライド部材２１の大幅部２１１ａを通過して、上方の土台ベース部材２２１Ａまで挿入される。
【００４６】
次に、図５（ａ）（ｂ）に示すように、係止突起３１の係合部３１２の直方体の長手方向ＬＡ〜ＬＣをスライド部材２１のスライド方向ＳＡ〜ＳＣに合わせ、係合部３１２Ａ〜３１２Ｃを対応するスライド部材２１の小幅部２１１ｂに係合させて各スライド部材２１をスライドさせる。これにより、スライド部材２１の交差位置Ｐには、貫通孔２１１の小幅部２１１ｂが配置され、留め具１０が施錠された状態となる。
【００４７】
係止突起３１の抜け止め部３１１の幅は小幅部２１１ｂの幅よりも大きいため、抜け止め部３１１は小幅部２１１ｂの縁よりも外側に突出している。このため、係止体３０がスライド部材２１に係止されて、係止突起３１をスライド部材２１から抜くことができなくなる。また、係合部３１２は、係合しているスライド部材２１の下方にあるスライド部材２１の小幅部２１１ｂの縁よりも外側に突出しており、係合部３１２によっても係止体３０がスライド部材２１に係止される。
【００４８】
また、スライド部材２１の規制突起２１２が溝２３の凹部２３ａの端面に当たりスライド部材２１のスライドが規制されることで、スライド部材２１がベース部材２２からスライド方向に抜け落ちることを防止しており、スライド部材２１が溝２３に嵌め込まれた状態が維持される。
【００４９】
本体２０に係止された係止体３０の係止を解除する場合には、まず、スライド部材２１に付された目印を用いてスライド部材２１を所定位置までスライドさせて、複数のスライド部材２１の交差位置Ｐに大幅部２１１ａを配置する。すなわち、図４（ａ）（ｂ）の状態とする。そして、係止体３０の係止突起３１をスライド部材２１の大幅部２１１ａから引き抜くことにより、係止体３０と本体２０との係止が解除される。
【００５０】
本発明に係る留め具１０によると、スライド部材２１をスライドさせる動作だけで係止体３０とスライド部材２１とを係止し、また係止を解除することができるので、キーを使用せずに留め具１０の施錠と解錠を行なうことができる。
また、前記構成によれば、複数のスライド部材２１の大幅部２１１ａを全てスライド部材２１の交差位置Ｐに配置しなければ係止体３０とスライド部材２１との係止が解除されないため、あるスライド部材２１に衝撃が加わり偶然に大幅部２１１ａがスライド部材２１の交差位置Ｐに配置された場合であっても、係止体３０とスライド部材２１との係止は保たれ、留め具１０に衝撃などが与えられることによる使用者の意図しない解錠を防ぐことができる。
【００５１】
以上、本発明の一実施形態について説明したが、本発明は上記実施形態に限定されるものではなく、本発明の趣旨を逸脱しない限りにおいて種々の変更が可能である。
【００５２】
複数のスライド部材２１の交差位置Ｐに大幅部２１１ａが配置される各スライド部材２１の位置を特定するための目印は、図９に示すように、各スライド部材２１の側縁に形成された円弧状のくぼみ部であってもよい。
また、図１０に示すように、スライド部材２１の表面に、スライド方向に延びる異なる色の縞状の着色部分を設け、この縞状部分の一部を目印として使用してもよい。
また、目印２１５が、ベース部材２２の端部から離れた所定位置に位置したときに、複数のスライド部材２１の平面視での交差位置Ｐにスライド部材２１の大幅部２１１ａが配置されてもよい。
また、目印２１５は係止体３０に対するスライド部材２１の位置を定めるものであってもよい。
【００５３】
さらに、スライド部材２１の形状やベース部材２２の形状、係止突起３１の形状は本実施形態に限定されるものではない。例えば、スライド部材２１は貫通孔２１１が形成されてスライド方向にスライドできるものであればよく、矩形状や多角形状、円形状であってもよい。またベース部材２２は矩形状や断面多角形状であってもよい。また、係止突起３１の抜け止め部３１１は矩形状や断面多角形状であってもよい。
【００５４】
また、本体２０を鞄４０に取り付けるために取付部材５０を必ずしも用いる必要はなく、本体２０の鞄４０への接着など、本体２０が取り付けることができるどのような方法を用いてもよい。
【００５５】
また、本発明の留め具１０は鞄４０に用いることに限定されず、机、たんす、服など留め具１０が必要な用途であればどのような用途にも用いることができる。
【符号の説明】
【００５６】
１０  留め具
４０  鞄
２０  本体
２１  スライド部材
２１１  貫通孔
２１１ａ  大幅部
２１１ｂ  小幅部
２１２  規制突起
２１３  金属片
２１４  金属片係止用溝
２１５  目印
２２  ベース部材
２２１Ａ，２２１Ｂ  土台ベース部材
２２１ａ  ベース孔
２２２  支持ベース部材
２２２１、２２２２  部材
２３  溝
２３ａ  凹部
３０  係止体
３１  係止突起
３１１  抜け止め部
３１２  係合部
Ｐ交差位置
ＳＡ〜ＳＣ  スライド方向
ＬＡ〜ＬＣ  係合部の直方体の長手方向
【要約】
【課題】係止体とスライド部材との自由な係脱を防止できる留め具を提供する。【解決手段】留め具１０は、平面視で交差するように上下方向に配置された複数のスライド部材２１と、複数のスライド部材の交差位置Ｐにおいて各スライド部材の貫通孔に通される係止突起３１を有する係止体３０とを備え、
各前記スライド部材の貫通孔２１１は、大幅部２１１ａと、小幅部２１１ｂとから形成され、係止突起３１の先端には、大幅部２１１ａを通過可能な抜け止め部３１１が形成され、抜け止め部３１１よりも基端側には、各スライド部材２１の小幅部に係合可能な複数の係合部３１２が形成され、一のスライド部材２１の小幅部２１１ｂに一の係合部３１２を係合させた状態では、抜け止め部３１１が、一のスライド部材の小幅部２１１ｂの縁よりも外側に突出し抜け止め部３１１が、一のスライド部材に係止される。
【選択図】図２【図１】
0005484628.tif 000002
【図２】
0005484628.tif 000003
【図３】
0005484628.tif 000004
【図４】
0005484628.tif 000005
【図５】
0005484628.tif 000006
【図６】
0005484628.tif 000007
【図７】
0005484628.tif 000008
【図８】
0005484628.tif 000009
【図９】
0005484628.tif 000010
【図１０】
0005484628.tif 000011